(57)【要約】      （修正有）【課題】米穀類の袋詰め時または袋詰め後の保管中に、袋内に侵入する可能性のある害虫を阻止すると同時に、カビ等の発生を抑え、収納物の鮮度を保持する防虫鮮度保持収納袋を提供する。【解決手段】二枚合わせの基材フィルム１０の少なくとも両端縁全縁に二つ折りの不織布テープを挟み込み、上記両端縁の複数個所に外気と通じる通気路１２を確保したうえで、上記両端縁をヒートシールしてなる収納袋において、上記不織布テープは唐辛子又はわさびの溶解液を含浸させてなり、上記不織布テープの折り曲げ部１１ａを上記収納袋内に突出させたこと。【選択図】図１
0003143273.tif 000002
【実用新案登録請求の範囲】
【請求項１】
二枚合わせの基材フィルムの少なくとも両端縁全縁に二つ折りの不織布テープを挟み込み、上記両端縁の複数個所に外気と通じる通気路を確保したうえで、上記両端縁をヒートシールしてなる収納袋において、上記不織布テープは唐辛子又はわさびの溶解液を含浸させてなり、上記不織布テープの折り曲げ部を上記収納袋内に突出させたことを特徴とする防虫鮮度保持収納袋。
【考案の詳細な説明】
【技術分野】
【０００１】  本考案は、穀類等を収納した袋内に害虫を侵入させず、カビ等の発生を抑え、穀類の鮮度の保持にも効果を発揮し、しかも、空気の流通をも確保した防虫鮮度保持収納袋の改良に関するものである。
【背景技術】
【０００２】  本出願人は、過去に実用新案登録第３０６９０８３号（特許文献１）に係る収納袋を提案した。この収納袋は、図３及び図４に示すように、二枚合わせのフィルム基材１０，１０の両端縁の全縁に二つ折りの不織布テープ１１が挟み込まれ、外気と通じる通気路１２を確保したうえで、ヒートシールされてなるものである。そして、このような構成にしたことにより、米穀等を入れた流通時の積み重ね置きにおける袋内の空気抜きを容易にし、害虫、異物あるいは水分が袋内へ侵入するのを防ぐという効果を奏するものであった。【０００３】
【特許文献１】実用新案登録第３０６９０８３号公報
【考案の開示】
【考案が解決しようとする課題】
【０００４】  ところが、上記の収納袋は、コクゾウムシ等の害虫の外部からの侵入は防げるものの、米穀類の袋詰めの際、又は袋詰めの後、極めて希な例ではあるが、害虫が不織布テープを食い破り中に入る可能性が考えられる。【０００５】  このような懸念を払拭するため、フィルム素材としてのポリエチレンやプラスチック樹脂に、唐辛子液を練り込んだ防虫対応袋も提案されてはいるが、効果のほどは定かではない。【０００６】  本考案は、収納袋そのものに害虫が寄り付かなくなると同時に、カビ等の発生を抑えて収納物の早期の傷みを防ぐ収納袋を提供することを目的とする。
【課題を解決するための手段】
【０００７】  本考案者は、従来より、米穀類につくコクゾウムシ等の害虫の侵入を阻止するために、米びつに「唐辛子」や「わさび」入れることを経験上知得していたところ、この知得を包装袋に適用できないかを模索した結果、本考案を完成させた。【０００８】  すなわち本考案は、二枚合わせの基材フィルムの少なくとも両端縁全縁に二つ折りの不織布テープを挟み込み、上記両端縁の複数個所に外気と通じる通気路を確保したうえで、上記両端縁をヒートシールしてなる収納袋において、上記不織布テープは唐辛子又はわさびの溶解液を含浸させてなり、上記不織布テープの折り曲げ部を上記収納袋内に突出させたことを特徴とする防虫鮮度保持収納袋である。
【考案の効果】
【０００９】  不織布テープに含浸させた唐辛子やわさびの成分が、害虫に作用することで、袋内外に害虫が寄り付くことと、カビ等の発生を抑えることができる。
【考案を実施するための最良の形態】
【００１０】  本考案に用いられる基材フィルムとしては、合成樹脂フィルムが好ましい。このようなフィルムとしては、延伸ポリプロピレン、未延伸ポリプロピレン、塩化ビニリデンコートポリプロピレン、高密度ポリエチレン、低密度ポリエチレン、ポリスチレン、ポリエチレンテレフタレート、ナイロンおよび塩化ビニリデンコートナイロン等が挙げられる。また、これらの合成樹脂フィルムに、無軸延伸ポリプロピレン、無軸延伸リニアローデンポリエチレン、又はエチレン酢酸ビニール共重合樹脂のうちの一種又は二種以上をラミネートした合成樹脂ラミネートフィルムを用いることも可能である。さらに、上記基材フィルムに、化粧用の不織布や蒸着フィルムを張り合わせることも可能である。【００１０】  不織布テープには唐辛子又はわさびの溶解液を含浸させるが、含浸の方法は塗布、浸漬等の常法によって行われる。【００１１】  本考案による防虫収納袋の製造の一例を示すと、一枚の基材フィルムを半切りして二枚合わせの基材フィルムとし、この二枚のフィルム間の両端縁の全縁に唐辛子又はわさび溶解液を含浸させた二つ折りの不織布テープを挟み込む。このとき、その折り曲げ部をフィルムの内側に向け、その先端をシール予定部分から内側に突出させる。この突出部分にある唐辛子又はわさび成分を作用させることになる。この状態で、予め通気路となる抜けを作っておいた型熱板により、上記両端縁をヒートシールすれば、抜けの部分だけがシールされずに外気と通じる通気路として残る。最後に、不要縁部をカットすることで、本考案の防虫鮮度保持収納袋が得られる。
【実施例】
【００１２】  以下に、本考案による防虫鮮度保持収納袋の好ましい実施例を図１及び図２によって説明する。なお、従来例と構成が共通する部分は詳細説明を省略する。不織布テープ１１には唐辛子又はわさびの溶解液が含浸させてあり、この不織布テープ１１が二枚合わせのフィルム基材１０，１０の両端縁の全縁に挟み込まれ、外気と通じる複数の通気路１２を確保したうえで、ヒートシールされている。不織布テープ１１は、その折り曲げ部１１ａを内側に突出させてあり、この突出させた部分に含浸している唐辛子又はわさび成分が袋内に作用することになる。【００１３】  上記構成において、開口部から米穀類を詰め、開口縁部をシールして流通過程でこの袋詰め米穀類が山積みされた場合、包装袋の両端縁に形成された通気路１２により、袋内の空気抜きは、上下に積まれた米穀袋に左右されることなく、十分、かつ容易に行なわれる。また、通気路１２の口は不織布テープ１１によって塞がれた状態になっているので、この不織布テープ１１が、袋内への害虫や異物あるいは水分の侵入を防ぐことになる。【００１４】  米穀類の袋詰めに際しては、害虫や異物の混入のないよう、細心の注意が払われるが、袋詰め後の倉庫保管中でも害虫が侵入する危険性がある。そのような場合でも、不織布テープ１１の内側に突出させた折り曲げ部１１ａ部分に含浸している唐辛子又はわさび成分が袋内に作用するので、米穀袋の保管中に袋内外に害虫の侵入や寄り付きを防ぐことができる。また、同時にカビ等の発生を抑え、袋内の収納物の鮮度も保持することができる。
【図面の簡単な説明】
【００１５】
【図１】  本考案による防虫包装袋の実施例を示す部分的正面図である。
【図２】  図１におけるＡ−Ａ線に沿う拡大断面図である。
【図３】  従来の包装袋を示す部分的正面図である。
【図４】  図３におけるＸ−Ｘに沿う拡大断面図である。
【符号の説明】
【００１６】  １０      フィルム基材
１１      不織布テープ
１１ａ    折り曲げ部
１２      通気路
【図１】
0003143273.tif 000003
【図２】
0003143273.tif 000004
【図３】
0003143273.tif 000005
【図４】
0003143273.tif 000006